(57)【要約】【課題】  低電圧のクロックシグナル下で正常に操作できる双方向のシフトレジスタ回路の提供。【解決手段】  少なくとも低電圧のクロックシグナル、第１方向シグナル及び第２方向シグナル、異なるスキャニングの順序によりクロックデータをアウトプットするためのシグナルが切換え可能な双方向シフトレジスタ回路であって、前記シフトレジスタ回路は、複数のシフトレジスタユニット、個々に対応するシフトレジスタユニットに接続する双方向スキャニングコントロール回路及び電圧レベルシフタを含み、シフトレジスタユニットは各々にインプットターミナル、アウトプットターミナル及び前記クロックシグナルの低電圧を受け取り接続するクロックインプットターミナルを含むものとした。【選択図】  図４
2004362745.tif 000002
【特許請求の範囲】
【請求項１】
少なくとも低電圧のクロックシグナル、第１方向シグナル及び第２方向シグナルに基づき、異なるスキャニングの順序でクロックデータをアウトプットするための、シグナルのアウトプット順序を切換え可能なシフトレジスタ回路であって、
該シフトレジスタが、第１ステージインプットターミナル、第１ステージアウトプットターミナル、及び前記クロックシグナルを受け取るインプットターミナルを含む第１シフトレジスタユニット、
第２ステージインプットターミナル、第２ステージアウトプットターミナル、及び前記クロックシグナルを受け取るインプットターミナルを含む第２シフトレジスタユニット、
第３ステージインプットターミナル、第３ステージアウトプットターミナル、及び前記クロックシグナルを受け取るインプットターミナルを含む第３シフトレジスタユニット、及び  前記第１ステージアウトプットターミナルを受け取るのに用いる第１インプットターミナル、前記第３ステージアウトプットターミナルのシグナルを受け取るのに用いる第２インプットターミナル、及び第１コントロールターミナルを有し、
前記第１コントロールターミナルが前記第１方向シグナルを受け取る時、前記第１ステージアウトプットターミナルのシグナルを前記第２ステージインプットターミナルにアウトプットし、前記第１コントロールターミナルが前記第２方向シグナルを受け取る時、前記第３アウトプットターミナルのシグナルを前記第２ステージインプットユニットにアウトプットする第１双方向スキャニングコントロール回路、
前記第１ステージアウトプットターミナルに接続され、前記第１ステージアウトプットターミナルのシグナルを増幅して、前記シグナルのアウトプットの順序の切換えが可能であるシフトレジスタのアウトプットクロックデータとする第１電圧レベルシフタ、
前記第２ステージアウトプットターミナルに接続され、前記第２ステージアウトプットターミナルのシグナルを増幅して、前記シグナルのアウトプットの順序の切換えが可能であるシフトレジスタのアウトプットクロックデータとする第２電圧レベルシフタ、
前記第３ステージアウトプットターミナルに接続され、前記第３ステージアウトプットターミナルのシグナルを増幅して、前記シグナルのアウトプットの順序の切換えが可能であるシフトレジスタのアウトプットクロックデータとする第３電圧レベルシフタ、を含み、
このうち、前記第２ステージインプットターミナルが前記第１ステージアウトプットターミナルのシグナルを受け取る時、前記第２シフトレジスタユニットは前記第２ステージアウトプットターミナルのシグナルを前記第３ステージイプットターミナルにアウトプットし、
前記第２ステージインプットターミナルが前記第３ステージアウトプットターミナルのシグナルを受け取る時、前記第２シフトレジスタユニットは前記第２ステージアウトプットターミナルのシグナルを第１ステージインプットターミナルにアウトプットすることを特徴とする、シグナルのアウトプット順序を切換え可能なシフトレジスタ回路。
【請求項２】
前記第１コントロールターミナルが前記第１方向シグナルを受け取る時、前記クロックデータは、前記第１シフトレジスタユニット、前記第２シフトレジスタユニット、前記第３シフトレジスタユニットの順序でアウトプットされる請求項１に記載のシグナルのアウトプット順序を切換え可能なシフトレジスタ回路。
【請求項３】
前記第１コントロールターミナルが前記第２方向シグナルを受け取る時、前記クロックデータは前記第３シフトレジスタユニット、前記第２シフトレジスタユニット、前記第１シフトレジスタユニットの順序でアウトプットされる請求項２に記載のシグナルのアウトプット順序を切換え可能なシフトレジスタ回路。
【請求項４】
前記第２ステージアウトプットターミナルのシグナルを受け取るのに用いる第１インプットターミナル、第１クロックシグナルを受け取るのに用いる第２インプットターミナル、及び第２コントロールターミナルを含み、前記第２コントロールターミナルが前記第１方向シグナルを受け取る時、前記第２ステージアウトプットターミナルのシグナルを前記第３ステージインプットターミナルにアウトプットし、前記第２コントロールターミナルが前記第２方向のシグナルを受け取る時、前記第１クロックシグナルを前記第３ステージインプットターミナルにアウトプットする第２スキャニングコントロール回路、
第２クロックシグナルを受け取るのに用いる第１インプットターミナル、前記第２ステージアウトプットターミナルのシグナルを受け取るのに用いる第２インプットターミナル、及び第３コントロールターミナルを含み、前記第３コントロールターミナルが前記第１方向のシグナルを受け取る時、前記第２クロックシグナルを前記第１ステージインプットターミナルにアウトプットし、前記第３コントロールターミナルが前記第２方向のシグナルを受け取る時、前記第２ステージアウトプットターミナルのシグナルを前記第１ステージインプットターミナルにアウトプットする第３双方向スキャニングコントロール回路を更に含む請求項１に記載のシグナルのアウトプット順序を切換え可能なシフトレジスタ回路。
【請求項５】
前記双方向スキャニングコントロール回路には、
前記第１ステージアウトプットターミナル及び第３ステージアウトプットターミナルに接続される第１ロジックデバイス、
前記第１コントロールターミナルが受け取るシグナルに基づいて、前記第１ステージアウトプットターミナルのシグナル及び前記第３ステージアウトプットターミナルのシグナルのどちらかを選択してアウトプットするコントロール装置、
前記第１ロジックデバイスのアウトプットターミナル及び前記コントロール装置のアウトプットターミナルに接続し、前記第１コントロールターミナルが前記第１方向シグナルを受け取る時、前記第１ステージアウトプットターミナルのシグナルを前記第２ステージインプットターミナルにアウトプットし、前記第１コントロールターミナルが前記第２方向のシグナルを受け取る時、前記第３ステージアウトプットターミナルのシグナルを前記第２ステージインプットターミナルにアウトプットする第２ロジックデバイスが含まれる請求項１に記載のシグナルのアウトプット順序を切換え可能なシフトレジスタ回路。
【請求項６】
前記第１及び第２ロジックデバイスはＮＯＲロジックゲートからなる請求項５に記載のシグナルのアウトプット順序を切換え可能なシフトレジスタ回路。
【請求項７】
少なくとも低電圧のクロックシグナル、第１方向シグナル及び第２方向シグナルに基づき、異なるスキャニングの順序でクロックデータをアウトプットするための、シグナルのアウトプット順序を切換え可能なシフトレジスタ回路であって、
該シフトレジスタが、第１ステージ第１インプットターミナル、第１ステージ第２インプットターミナル、第１ステージアウトプットターミナル、及び前記クロックシグナルを受け取る第１ステージクロックインプットターミナルを含む第１シフトレジスタユニット、
第２ステージ第１インプットターミナル、第２ステージ第２インプットターミナル、第２ステージアウトプットターミナル、及び前記クロックシグナルを受け取る第２ステージクロックインプットターミナルを含む第２シフトレジスタユニット、
第３ステージ第１インプットターミナル、第３ステージ第２インプットターミナル、第２ステージアウトプットターミナル、及び前記クロックシグナルを受け取る第３ステージクロックインプットターミナルを含む第３シフトレジスタユニット、及び
前記第１ステージアウトプットターミナルのシグナルを受け取るのに用いる第１インプットターミナル、前記第３ステージアウトプットターミナルのシグナルを受け取るのに用いる第２インプットターミナル、及び第１コントロールターミナルを含み、前記第１コントロールターミナルが前記第１方向のシグナルを受け取る時、前記第１ステージアウトプットターミナルのシグナルを前記第２ステージ第１インプットターミナルにアウトプットすると共に、前記第３ステージアウトプットターミナルのシグナルを前記第２ステージ第２インプットターミナルにアウトプットし、前記第１コントロールターミナルが前記第２方向のシグナルを受け取る時、前記第３ステージアウトプットターミナルの信号を前記第２ステージ第１インプットターミナルにアウトプットすると共に、前記第１ステージアウトプットターミナルのシグナルを前記第２ステージ第２インプットターミナルにアウトプットする第１双方向スキャニングコントロール回路、
インプットターミナルが前記第１ステージアウトプットターミナルに接続され、前記第１ステージアウトプットターミナルのシグナルを増幅し、前記のシグナルのアウトプット順序を切換え可能なシフトレジスタのアウトプットクロックデータとする第１電圧レベルシフタ、
インプットターミナルが前記第２ステージアウトプットターミナルに接続され、前記第２ステージアウトプットターミナルのシグナルを増幅し、前記のシグナルのアウトプット順序を切換え可能なシフトレジスタのアウトプットクロックデータとする第２電圧レベルシフタ、
インプットターミナルが前記第３ステージアウトプットターミナルに接続され、前記第３ステージアウトプットターミナルのシグナルを増幅し、前記のシグナルのアウトプット順序を切換え可能なシフトレジスタのアウトプットクロックデータとする第３電圧レベルシフタを含み、
このうち、前記第２ステージ第１インプットターミナルが前記第１ステージアウトプットターミナルのシグナルを受け取り、且つ前記第２ステージ第２インプットターミナルが前記第３ステージアウトプットターミナルのシグナルを受け取る時、前記第３ステージ第１インプットターミナルは前記第２ステージアウトプットターミナルのシグナルを受け取ると共に、前記第３ステージ第２インプットターミナルは第１クロックシグナルを受け取り、前記第２ステージ第１インプットターミナルが前記第３ステージアウトプットターミナルのシグナルを受け取り、且つ前記第２ステージ第２インプットターミナルが前記第１ステージアウトプットターミナルのシグナルを受け取る時、前記第１ステージ第１インプットターミナルは前記第２ステージアウトプットターミナルのシグナルを受け取ると共に、前記第１ステージ第２インプットターミナルは第２クロックシグナルを受け取ることを特徴とする、シグナルのアウトプット順序を切換え可能なシフトレジスタ回路。
【請求項８】
前記コントロールターミナルは前記第１方向のシグナルを受け取る時、前記クロックデータは前記第１シフトレジスタユニット、第２シフトレジスタユニット、及び第３シフトレジスタユニットの順序でアウトプットされる請求項７に記載のシグナルのアウトプット順序を切換え可能なシフトレジスタ回路。
【請求項９】
前記コントロールターミナルが前記第２方向のシグナルを受け取る時、前記クロックデータは前記第３シフトレジスタユニット、第２シフトレジスタユニット、及び第１シフトレジスタユニットの順序でアウトプットされる請求項８に記載のシグナルのアウトプット順序を切換え可能なシフトレジスタ回路。
【請求項１０】
前記第２ステージアウトプットターミナルのシグナルを受け取るのに用いる第１インプットターミナル、前記第１クロックシグナルを受け取るのに用いる第２インプットターミナル、及び第２コントロールターミナルを含み、前記第２コントロールターミナルが前記第１方向のシグナルを受け取る時、前記第２ステージアウトプットターミナルのシグナルを前記第３ステージ第１インプットターミナルにアウトプットすると共に、前記第１クロックシグナルを前記第３ステージ第２インプットターミナルにアウトプットし、前記第２コントロールターミナルが前記第２方向のシグナルを受け取る時、前記第１クロックシグナルを前記第３ステージ第１インプットターミナルにアウトプットすると共に、前記第２ステージアウトプットターミナルのシグナルを前記第３ステージ第２インプットターミナルにアウトプットする第２双方向スキャニングコントロール回路、
前記第２クロックシグナルを受け取るのに用いる第１インプットターミナル、前記第２ステージアウトプットターミナルのシグナルを受け取るのに用いる第２インプットターミナル、及び第３コントロールターミナルを含み、前記第３コントロールターミナルが前記第１方向シグナルを受け取る時、前記第２クロックシグナルを前記第１ステージ第１インプットターミナルにアウトプットすると共に、前記第２ステージアウトプットターミナルのシグナルを前記第１ステージ第２インプットターミナルにアウトプットし、前記第３コントロールターミナルが前記第２方向シグナルを受け取る時、前記第２ステージアウトプットターミナルのシグナルを前記第１ステージ第１インプットターミナルにアウトプットすると共に、前記第２クロックシグナルを前記第１ステージ第２インプットターミナルにアウトプットする第３双方向スキャニングコントロール回路を更に含む請求項９に記載のアウトプットシグナルの順序が切換え可能なシフトレジスタ回路。
【請求項１１】
前記第１双方向スキャニングコントロール回路は
前記第１ステージアウトプットターミナルに接続するインプットターミナル、前記第２ステージ第１インプットターミナルに接続する第１アウトプットターミナル及び前記第２ステージ第２インプットターミナルに接続する第２アウトプットターミナルを含み、前記第１コントロールターミナルが前記第１方向シグナルを受け取る時、前記第１ステージアウトプットターミナルのシグナルを前記第２ステージ第１インプットターミナルにアウトプットする第１スイッチ、
前記第３ステージアウトプットターミナルに接続するインプットターミナル、前記第２ステージ第２インプットターミナルに接続する第１アウトプットターミナル及び前記第２ステージ第１インプットターミナルに接続する第２アウトプットターミナルを含み、前記第１コントロールターミナルが前記第２方向シグナルを受け取る時、前記第３ステージアウトプットターミナルのシグナルを前記第２ステージ第２インプットターミナルにアウトプットする第２スイッチを含む請求項１０に記載のシグナルのアウトプット順序を切換え可能なシフトレジスタ回路。
【請求項１２】
前記第１コントロールターミナルが前記第２方向のシグナルを受け取る時、前記第１ステージアウトプットターミナルのシグナルを前記第２ステージ第２インプットターミナルにアウトプットし、前記第２スイッチは前記第３ステージアウトプットターミナルのシグナルを前記第２ステージ第１インプットターミナルにアウトプットする請求項１１に記載のシグナルのアウトプット順序を切換え可能なシフトレジスタ回路。
【発明の詳細な説明】
【技術分野】
【０００１】
本発明は、シフトレジスタ回路に関し、特に液晶ディスプレイ（LCD）駆動時の双方向シフトレジスタ回路に関するものである。
【背景技術】
【０００２】
液晶ディスプレイでは、一画面は多くの画素が構成したアレイで共同形成してなり、連続パルスは液晶ディスプレイ駆動時に使用する基本シグナルとなる。連続パルスはシフトレジスタ（Shift  Register）により生産され、よってシフトレジスタは液晶ディスプレイが常用する駆動回路の部品となる。
【０００３】
しかしながら、液晶ディスプレイを使用する製品の種類は日を追うごとに増加しており、またその応用もそれにつれ増加しているが、単一方向のスキャニングでは、液晶ディスプレイを使用する製品の要求を満足させる事ができない。例えば、ある種のデジタルカメラのディスプレイはカメラアングルに合わせて回転させなければならず、またパソコンの液晶ディスプレイも回転する液晶ディスプレイパネルの機能を含むので、多様なスキャニングを必要とする。しかし、スキャニングのシフト可能な液晶ディスプレイを提供する場合、アウトプットするシグナルの順序が変更できるシフトレジスタ回路を提供しなければならない。
【０００４】
他にも、前記のシフトレジスタにおいて、クロックシグナルの電圧振幅が低くないことで、伝達ライン上の消耗率は伝達のシグナルの振幅により大きくなっていく。伝達ライン上の消耗効率の公式は次のとおりに示される。
Ｐ＝ｆｃＶ２
その中で、Ｐは伝達ライン上の効率を、ｆはクロックシグナルの頻度を、ｃは伝達ライン上の寄生の静電容量を、Ｖはクロックシグナルの高位と低位の差を表している。これによると、比較的高いクロックシグナルの電圧を使用する伝統的な方法は、シフトレジスタ回路の消耗率をも引き上げることとなる。
【発明の開示】
【発明が解決しようとする課題】
【０００５】
よって、前記の問題を解決する為に、本発明は低電圧のクロックシグナル下で正常に操作できる双方向のシフトレジスタ回路を提供し、クロックシグナルの電圧伝達による消耗効率を減少させる。
【課題を解決するための手段】
【０００６】
前記の目的を達成するために、本発明は、少なくとも低電圧のクロックシグナル、第１方向シグナル及び第２方向シグナル、異なるスキャニングの順序によりクロックデータをアウトプットするシグナルが切換え可能な双方向シフトレジスタ回路を提供する。前記のシフトレジスタ回路は、複数のシフトレジスタユニット、個々に対応するシフトレジスタユニットに接続する双方向スキャニングコントロール回路及び電圧レベルシフタを含む。シフトレジスタユニットは各々にインプットターミナル、アウトプットターミナル及び前記クロックシグナルの低電圧を受け取り接続するクロックインプットターミナルを含む。双方向スキャニング回路は、接続前レベル及び次レベルのシフトレジスタユニットのアウトプットターミナルを以ってアウトプットされるシグナル、及び第１または第２方向シグナルに使用される。第１双方向コントロール回路は第１アウトプットターミナル、第３アウトプットターミナル及び第１方向シグナルまたは第２方向シグナルと対応して位置し、第１双方向コントロール回路が第１方向のシグナルを受け取った時、第１双方向コントロール回路は第１アウトプットターミナルのシグナルを第２インプットターミナルまでアウトプットし、第１双方向コントロール回路が第２方向シグナルを受け取った時、第３アウトプットターミナルのシグナルを第２インプットターミナルにアウトプットする。
【０００７】
具体的には、本発明に係るシフトレジスタは、少なくとも低電圧のクロックシグナル、第１方向シグナル及び第２方向シグナルに基づき、異なるスキャニングの順序でクロックデータをアウトプットするための、シグナルのアウトプット順序を切換え可能なシフトレジスタ回路であって、該シフトレジスタが、第１ステージインプットターミナル、第１ステージアウトプットターミナル、及び前記クロックシグナルを受け取るインプットターミナルを含む第１シフトレジスタユニット、第２ステージインプットターミナル、第２ステージアウトプットターミナル、及び前記クロックシグナルを受け取るインプットターミナルを含む第２シフトレジスタユニット、第３ステージインプットターミナル、第３ステージアウトプットターミナル、及び前記クロックシグナルを受け取るインプットターミナルを含む第３シフトレジスタユニット、及び前記第１ステージアウトプットターミナルを受け取るのに用いる第１インプットターミナル、前記第３ステージアウトプットターミナルのシグナルを受け取るのに用いる第２インプットターミナル、及び第１コントロールターミナルを有し、前記第１コントロールターミナルが前記第１方向シグナルを受け取る時、前記第１ステージアウトプットターミナルのシグナルを前記第２ステージインプットターミナルにアウトプットし、前記第１コントロールターミナルが前記第２方向シグナルを受け取る時、前記第３アウトプットターミナルのシグナルを前記第２ステージインプットユニットにアウトプットする第１双方向スキャニングコントロール回路、前記第１ステージアウトプットターミナルに接続され、前記第１ステージアウトプットターミナルのシグナルを増幅して、前記シグナルのアウトプットの順序の切換えが可能であるシフトレジスタのアウトプットクロックデータとする第１電圧レベルシフタ、前記第２ステージアウトプットターミナルに接続され、前記第２ステージアウトプットターミナルのシグナルを増幅して、前記シグナルのアウトプットの順序の切換えが可能であるシフトレジスタのアウトプットクロックデータとする第２電圧レベルシフタ、前記第３ステージアウトプットターミナルに接続され、前記第３ステージアウトプットターミナルのシグナルを増幅して、前記シグナルのアウトプットの順序の切換えが可能であるシフトレジスタのアウトプットクロックデータとする第３電圧レベルシフタ、を含み、このうち、前記第２ステージインプットターミナルが前記第１ステージアウトプットターミナルのシグナルを受け取る時、前記第２シフトレジスタユニットは前記第２ステージアウトプットターミナルのシグナルを前記第３ステージイプットターミナルにアウトプットし、前記第２ステージインプットターミナルが前記第３ステージアウトプットターミナルのシグナルを受け取る時、前記第２シフトレジスタユニットは前記第２ステージアウトプットターミナルのシグナルを第１ステージインプットターミナルにアウトプットすることを特徴とする。
【０００８】
本発明に係るシフトレジスタ回路においては、前記第１コントロールターミナルが前記第１方向シグナルを受け取る時、前記クロックデータは、前記第１シフトレジスタユニット、前記第２シフトレジスタユニット、前記第３シフトレジスタユニットの順序でアウトプットされるようにすることが好ましい。この場合、前記第１コントロールターミナルが前記第２方向シグナルを受け取る時、前記クロックデータは前記第３シフトレジスタユニット、前記第２シフトレジスタユニット、前記第１シフトレジスタユニットの順序でアウトプットされるようにすることが好ましい。
【０００９】
また、本発明に係るシフトレジスタ回路においては、前記第２ステージアウトプットターミナルのシグナルを受け取るのに用いる第１インプットターミナル、第１クロックシグナルを受け取るのに用いる第２インプットターミナル、及び第２コントロールターミナルを含み、前記第２コントロールターミナルが前記第１方向シグナルを受け取る時、前記第２ステージアウトプットターミナルのシグナルを前記第３ステージインプットターミナルにアウトプットし、前記第２コントロールターミナルが前記第２方向のシグナルを受け取る時、前記第１クロックシグナルを前記第３ステージインプットターミナルにアウトプットする第２スキャニングコントロール回路、第２クロックシグナルを受け取るのに用いる第１インプットターミナル、前記第２ステージアウトプットターミナルのシグナルを受け取るのに用いる第２インプットターミナル、及び第３コントロールターミナルを含み、前記第３コントロールターミナルが前記第１方向のシグナルを受け取る時、前記第２クロックシグナルを前記第１ステージインプットターミナルにアウトプットし、前記第３コントロールターミナルが前記第２方向のシグナルを受け取る時、前記第２ステージアウトプットターミナルのシグナルを前記第１ステージインプットターミナルにアウトプットする第３双方向スキャニングコントロール回路を更に含むようにすることが望ましい。この場合、前記双方向スキャニングコントロール回路には、前記第１ステージアウトプットターミナル及び第３ステージアウトプットターミナルに接続される第１ロジックデバイス、前記第１コントロールターミナルが受け取るシグナルに基づいて、前記第１ステージアウトプットターミナルのシグナル及び前記第３ステージアウトプットターミナルのシグナルのどちらかを選択してアウトプットするコントロール装置、前記第１ロジックデバイスのアウトプットターミナル及び前記コントロール装置のアウトプットターミナルに接続し、前記第１コントロールターミナルが前記第１方向シグナルを受け取る時、前記第１ステージアウトプットターミナルのシグナルを前記第２ステージインプットターミナルにアウトプットし、前記第１コントロールターミナルが前記第２方向のシグナルを受け取る時、前記第３ステージアウトプットターミナルのシグナルを前記第２ステージインプットターミナルにアウトプットする第２ロジックデバイスが含まれることが望ましい。また、前記第１及び第２ロジックデバイスはＮＯＲロジックゲートからなることが好ましい。
【００１０】
そして、前記の目的を達成するために、もう一つの本発明は、少なくとも低電圧のクロックシグナル、第１方向シグナル及び第２方向シグナル、異なるスキャニングの順序によりクロックデータをアウトプットするシグナルの順序が切換え可能なシフトレジスタ回路を提供する。このシフトレジスタ回路は、複数のシフトレジスタユニット及びそれと対応して位置するスキャニングコントロール回路及び電圧レベルシフタを含む。シフトレジスタユニットは第１インプットターミナル、第２インプットターミナル、アウトプットターミナル、及びクロックシグナルの低電圧を受け取り接続するクロックインプットターミナルを含む。双方向スキャンコントロール回路は接続前のレベル及び次レベルのシフトレジスタユニットのアウトプットする侵法及び切換シグナルに用いられる。第１双方向コントロール回路は第１ステージアウトプットターミナル、第３ステージアウトプットターミナル、及び第１方向シグナルまたは第２方向シグナルと対応しており、第１双方向コントロール回路が第１方向シグナルを受け取った時、第１双方向コントロール回路は第１ステージアウトプットターミナルのシグナルを第２ステージの第１インプットターミナルにアウトプットし、また第１双方向コントロール回路が第２方向シグナルを受け取った時、第３ステージアウトプットターミナルのシグナルを第２ステージの第１インプットターミナルにアウトプット、第１ステージアウトプットターミナルのシグナルを第２ステージの第２インプットターミナルにアウトプットする。
【００１１】
具体的には、もう一つの本発明に係るシフトレジスタ回路においては、少なくとも低電圧のクロックシグナル、第１方向シグナル及び第２方向シグナルに基づき、異なるスキャニングの順序でクロックデータをアウトプットするための、シグナルのアウトプット順序を切換え可能なシフトレジスタ回路であって、
該シフトレジスタが、第１ステージ第１インプットターミナル、第１ステージ第２インプットターミナル、第１ステージアウトプットターミナル、及び前記クロックシグナルを受け取る第１ステージクロックインプットターミナルを含む第１シフトレジスタユニット、第２ステージ第１インプットターミナル、第２ステージ第２インプットターミナル、第２ステージアウトプットターミナル、及び前記クロックシグナルを受け取る第２ステージクロックインプットターミナルを含む第２シフトレジスタユニット、第３ステージ第１インプットターミナル、第３ステージ第２インプットターミナル、第２ステージアウトプットターミナル、及び前記クロックシグナルを受け取る第３ステージクロックインプットターミナルを含む第３シフトレジスタユニット、及び前記第１ステージアウトプットターミナルのシグナルを受け取るのに用いる第１インプットターミナル、前記第３ステージアウトプットターミナルのシグナルを受け取るのに用いる第２インプットターミナル、及び第１コントロールターミナルを含み、前記第１コントロールターミナルが前記第１方向のシグナルを受け取る時、前記第１ステージアウトプットターミナルのシグナルを前記第２ステージ第１インプットターミナルにアウトプットすると共に、前記第３ステージアウトプットターミナルのシグナルを前記第２ステージ第２インプットターミナルにアウトプットし、前記第１コントロールターミナルが前記第２方向のシグナルを受け取る時、前記第３ステージアウトプットターミナルの信号を前記第２ステージ第１インプットターミナルにアウトプットすると共に、前記第１ステージアウトプットターミナルのシグナルを前記第２ステージ第２インプットターミナルにアウトプットする第１双方向スキャニングコントロール回路、インプットターミナルが前記第１ステージアウトプットターミナルに接続され、前記第１ステージアウトプットターミナルのシグナルを増幅し、前記のシグナルのアウトプット順序を切換え可能なシフトレジスタのアウトプットクロックデータとする第１電圧レベルシフタ、インプットターミナルが前記第２ステージアウトプットターミナルに接続され、前記第２ステージアウトプットターミナルのシグナルを増幅し、前記のシグナルのアウトプット順序を切換え可能なシフトレジスタのアウトプットクロックデータとする第２電圧レベルシフタ、インプットターミナルが前記第３ステージアウトプットターミナルに接続され、前記第３ステージアウトプットターミナルのシグナルを増幅し、前記のシグナルのアウトプット順序を切換え可能なシフトレジスタのアウトプットクロックデータとする第３電圧レベルシフタを含み、このうち、前記第２ステージ第１インプットターミナルが前記第１ステージアウトプットターミナルのシグナルを受け取り、且つ前記第２ステージ第２インプットターミナルが前記第３ステージアウトプットターミナルのシグナルを受け取る時、前記第３ステージ第１インプットターミナルは前記第２ステージアウトプットターミナルのシグナルを受け取ると共に、前記第３ステージ第２インプットターミナルは第１クロックシグナルを受け取り、前記第２ステージ第１インプットターミナルが前記第３ステージアウトプットターミナルのシグナルを受け取り、且つ前記第２ステージ第２インプットターミナルが前記第１ステージアウトプットターミナルのシグナルを受け取る時、前記第１ステージ第１インプットターミナルは前記第２ステージアウトプットターミナルのシグナルを受け取ると共に、前記第１ステージ第２インプットターミナルは第２クロックシグナルを受け取ることを特徴とする。
【００１２】
もう一つの本発明に係るシフトレジスタ回路においては、前記コントロールターミナルは前記第１方向のシグナルを受け取る時、前記クロックデータは前記第１シフトレジスタユニット、第２シフトレジスタユニット、及び第３シフトレジスタユニットの順序でアウトプットされるようにすることが好ましい。この場合、前記コントロールターミナルが前記第２方向のシグナルを受け取る時、前記クロックデータは前記第３シフトレジスタユニット、第２シフトレジスタユニット、及び第１シフトレジスタユニットの順序でアウトプットされるようにすることが望ましい。さらに、もう一つの本発明に係るシフトレジスタ回路においては、前記第２ステージアウトプットターミナルのシグナルを受け取るのに用いる第１インプットターミナル、前記第１クロックシグナルを受け取るのに用いる第２インプットターミナル、及び第２コントロールターミナルを含み、前記第２コントロールターミナルが前記第１方向のシグナルを受け取る時、前記第２ステージアウトプットターミナルのシグナルを前記第３ステージ第１インプットターミナルにアウトプットすると共に、前記第１クロックシグナルを前記第３ステージ第２インプットターミナルにアウトプットし、前記第２コントロールターミナルが前記第２方向のシグナルを受け取る時、前記第１クロックシグナルを前記第３ステージ第１インプットターミナルにアウトプットすると共に、前記第２ステージアウトプットターミナルのシグナルを前記第３ステージ第２インプットターミナルにアウトプットする第２双方向スキャニングコントロール回路、前記第２クロックシグナルを受け取るのに用いる第１インプットターミナル、前記第２ステージアウトプットターミナルのシグナルを受け取るのに用いる第２インプットターミナル、及び第３コントロールターミナルを含み、前記第３コントロールターミナルが前記第１方向シグナルを受け取る時、前記第２クロックシグナルを前記第１ステージ第１インプットターミナルにアウトプットすると共に、前記第２ステージアウトプットターミナルのシグナルを前記第１ステージ第２インプットターミナルにアウトプットし、前記第３コントロールターミナルが前記第２方向シグナルを受け取る時、前記第２ステージアウトプットターミナルのシグナルを前記第１ステージ第１インプットターミナルにアウトプットすると共に、前記第２クロックシグナルを前記第１ステージ第２インプットターミナルにアウトプットする第３双方向スキャニングコントロール回路を更に含むことが好ましい。
【００１３】
そしてさらに、もう一つの本発明に係るシフトレジスタ回路においては、前記第１双方向スキャニングコントロール回路は、前記第１ステージアウトプットターミナルに接続するインプットターミナル、前記第２ステージ第１インプットターミナルに接続する第１アウトプットターミナル及び前記第２ステージ第２インプットターミナルに接続する第２アウトプットターミナルを含み、前記第１コントロールターミナルが前記第１方向シグナルを受け取る時、前記第１ステージアウトプットターミナルのシグナルを前記第２ステージ第１インプットターミナルにアウトプットする第１スイッチ、前記第３ステージアウトプットターミナルに接続するインプットターミナル、前記第２ステージ第２インプットターミナルに接続する第１アウトプットターミナル及び前記第２ステージ第１インプットターミナルに接続する第２アウトプットターミナルを含み、前記第１コントロールターミナルが前記第２方向シグナルを受け取る時、前記第３ステージアウトプットターミナルのシグナルを前記第２ステージ第２インプットターミナルにアウトプットする第２スイッチを含むことが望ましい。この場合、前記第１コントロールターミナルが前記第２方向のシグナルを受け取る時、前記第１ステージアウトプットターミナルのシグナルを前記第２ステージ第２インプットターミナルにアウトプットし、前記第２スイッチは前記第３ステージアウトプットターミナルのシグナルを前記第２ステージ第１インプットターミナルにアウトプットすることが好ましい。
【発明の効果】
【００１４】
本発明は低電圧のクロックシグナル下においても正常に操作できるシフトレジスタ回路を提供し、各ステージはシグナルのアウトプット順序が切換え可能なシフトレジスタ及び電圧レベルシフタを使用し、低電圧のクロックシグナルを受け取り、クロックシグナルの電圧による効率の消耗を減少させる事ができる。
【発明を実施するための最良の形態】
【００１５】
本発明についての目的、特徴、長所が一層明確に理解されるよう、以下に実施例を例示し、図面を参照にしながら、詳細に説明する。
【実施例１】
【００１６】
図１は、本発明のアウトプット方向をコントロールできるシフトレジスタ回路の第１実施例を示す図である。説明を簡潔にする為、図１における３ステージのシフトレジスタユニットを例とする。本実施例において、各ステージのシフトレジスタユニット間に双方向スキャニングコントロール回路の設計を加え、それにより各ステージのシフトレジスタユニットアウトプットシグナルの順序の変更が可能になる。
【００１７】
図１では、第（Ｎ−１）ステージのシフトレジスタユニット１２のデータインプットターミナルＩＮが受け止めたシグナルは双方向スキャニングコントロール回路１１を通過してアウトプットされた第（Ｎ−２）ステージシフトレジスタユニットのアウトプットシグナル（Ｎ−２）ＯＵＴまたは第（Ｎ）ステージシフトレジスタユニットがアウトプットするシグナル（Ｎ）ＯＵＴである。第（Ｎ）ステージシフトレジスタユニット１４のデータインプットターミナルＩＮが受け止めるシグナルは双方向スキャニングコントロール回路１３を通過してアウトプットされた第（Ｎ−１）ステージのシフトレジスタユニットのアウトプットシグナル（Ｎ−１）ＯＵＴまたは第（Ｎ＋１）ステージのシフトレジスタユニット１６のアウトプットシグナル（Ｎ＋１）ＯＵＴである。第（Ｎ＋１）ステージのシフトレジスタユニット１６のデータインプットターミナルＩＮが受け止めるシグナルは双方向スキャニングコントロール回路１５を通過してアウトプットされる第（Ｎ）ステージのシフトレジスタユニット１４がアウトプットするシグナル（Ｎ）ＯＵＴまたは第（Ｎ＋２）ステージのシフトレジスタユニットがアウトプットするシグナル（Ｎ＋２）ＯＵＴである。
【００１８】
この他に、各ステージのシフトレジスタユニットはクロックインプットターミナルを含んでおり、それはクロックシグナルＣＬＫを受け取る際に用いられる。また第Ｎステージシフトレジスタユニット１４を例にして、上述のように、双方向スキャニングコントロール回路１３は第（Ｎ−１）ステージのシフトレジスタユニット１２のアウトプットシグナル（Ｎ−１）ＯＵＴ及び第（Ｎ＋１）ステージシフトレジスタユニット１６のアウトプットシグナル（Ｎ＋１）ＯＵＴを受け止める。
【００１９】
データインプットターミナルＩＮが第（Ｎ−１）ステージのシフトレジスタユニット１２のアウトプットシグナル（Ｎ−１）ＯＵＴを受け取る場合、シフトレジスタ回路は第（Ｎ−１）ステージ、第Ｎステージ、及び第（Ｎ＋１）ステージの順序でシグナルをアウトプットする。またデータインプットターミナルＩＮが受け取るシグナルが第（Ｎ＋１）ステージのシフトレジスタユニットのアウトプットシグナル（Ｎ＋１）ＯＵＴである場合、シフトレジスタ回路は第（Ｎ＋１）ステージ、第Ｎステージ、及び第（Ｎ−１）ステージの順序でシグナルをアウトプットする。
【００２０】
双方向スキャニングコントロール回路はコントロールシグナルＣＴＲに基づいてシフトレジスタユニットに提供するデータのインプットターミナルを決定する。コントロールシグナルＣＴＲは第１または第２方向シグナルに用いられ、コントロールシグナルＣＴＲが第１方向のシグナルを受け取る時、シフトレジスタ回路は第（Ｎ−１）ステージ、第Ｎステージ、及び第（Ｎ＋１）ステージの順序でシグナルをアウトプットする。
【００２１】
図２ａは本発明の実施例１の双方向スキャニングコントロール回路のブロック図である。ここでは双方向スキャニングコントロール回路１３を例とする。その他の各ステージの双方向スキャニングコントロール回路は例とした１３とシグナルの発信源以外は同様である。本発明の実施例が述べる双方向スキャニングコントロール回路は第１ロジックデバイス２１、コントロール装置２２及び第２ロジックデバイス２３から構成されている。図２ｂは本発明の実施例１による双方向スキャニングコントロール回路の電気回路図である。第１ロジックデバイス２１及び第２ロジックデバイス２３は各々ＮＯＲロジックゲート２１１及び２３１から構成されている。コントロール装置２２はスイッチＳＷ１及びＳＷ２から構成される。
【００２２】
ＮＯＲロジックゲート２１１は第（Ｎ−１）ステージのシフトレジスタユニット１２のアウトプットシグナル（Ｎ−１）ＯＵＴ及び第（Ｎ＋１）ステージのシフトレジスタユニット１６のアウトプットシグナル（Ｎ＋１）ＯＵＴを受け取る。コントロールシグナルＣＴＲが第１方向のシグナルを受け取る時、ＮＯＲロジックゲート２１１は第（Ｎ−１）ステージのシフトレジスタユニット１２のアウトプットシグナル（Ｎ−１）ＯＵＴ（高位）及び第（Ｎ＋１）ステージのシフトレジスタユニット１６のアウトプットシグナル（Ｎ＋１）ＯＵＴ（低位）を受け取り、また並びにスイッチＳＷ２は第（Ｎ＋１）ステージのシフトレジスタユニット１６のアウトプットシグナル（Ｎ＋１）ＯＵＴ（低位）をＮORロジックゲート２３１にインプットさせる。コントロールシグナルＣＴＲが第１方向のシグナルを受け取る時、ＮＯＲロジックゲート２３１は第（Ｎ−１）ステージのシフトレジスタユニット１２のアウトプットシグナル（Ｎ−１）ＯＵＴをシフトレジスタ１４までアウトプットさせる。
【００２３】
コントロールシグナルＣＴＲが第２方向のシグナルを受け取る時、ＮORロジックゲート２１１は第（Ｎ−１）ステージのシフトレジスタ１２のアウトプットシグナル（Ｎ−１）ＯＵＴ（低位）及び第（Ｎ＋１）ステージのシフトレジスタ１６のアウトプットシグナル（Ｎ＋１）ＯＵＴ（高位）を受け取り、また並びにスイッチＳＷ１が第（Ｎ−１）ステージのシフトレジスタユニット１２のアウトプットシグナル（Ｎ−１）ＯＵＴ（低位）をＮORロジックゲート２３１にインプットさせる。コントロールシグナルＣＴＲが第２方向のシグナルを受け取る時、ＮＯＲロジックゲート２３１は第（Ｎ＋１）ステージのシフトレジスタユニット１６のアウトプットシグナル（Ｎ＋１）ＯＵＴをシフトレジスタユニット１４にアウトプットする。
【００２４】
図３aは、本発明のアウトプット方向がコントロールできるシフトレジスタ回路の実施例２を示す図である。図に示されるように、第（Ｎ−１）ステージシフトユニット３２のシグナルターミナルが受け取るシグナルは双方向スキャニングコントロール回路３１がアウトプットする第（Ｎ−２）ステージのシフトレジスタのアウトプットシグナル（Ｎ−２）ＯＵＴ及び第（Ｎ）ステージのシフトレジスタユニット３４のアウトプットシグナル（Ｎ）ＯＵＴである。第（Ｎ）ステージのシフトレジスタユニット３４のシグナルターミナルが受け取る信号は双方向スキャニングコントロール回路３３を通しアウトプットされる第（Ｎ−１）ステージのシフトレジスタユニットのアウトプットシグナル（Ｎ−１）ＯＵＴ及び第（Ｎ＋１）ステージのシフトレジスタユニット３６のアウトプットシグナル（Ｎ＋１）ＯＵＴからなる。第（Ｎ＋１）ステージのシフトレジスタ３６のシグナルターミナルのシグナルは双方向スキャニングコントロール回路３５を通しアウトプットされる第（Ｎ）ステージのシフトレジスタユニットのアウトプットシグナル（Ｎ）ＯＵＴ及び第（Ｎ＋２）ステージのシフトレジスタユニットのアウトプットシグナル（Ｎ＋２）ＯＵＴからなる。
【００２５】
この他、各ステージのシフトレジスタユニットはクロックシグナルＣＬＫを受け取るのに用いるクロックインプットターミナルを含み、第Ｎステージシフトレジスタユニット３４を例とし、上述の通り、双方向スキャニングコントロール回路３３から受けたシグナルを第（Ｎ−１）ステージシフトレジスタユニット３２のアウトプットシグナル（Ｎ−１）ＯＵＴ及び第（Ｎ＋１）ステージシフトレジスタユニット３６のアウトプットシグナル（Ｎ＋１）ＯＵＴとする。もしデータインプットターミナルＩＮ１が第（Ｎ−１）ステージのシフトレジスタユニットのアウトプットシグナル（Ｎ−１）ＯＵＴを受け取り、またデータインプットターミナルＩＮ２が第（Ｎ＋１）ステージのシフトレジスタユニットのアウトプットシグナル（Ｎ＋１）を受け取る時、シフトレジスタ回路は第（Ｎ−１）ステージ、第Ｎステージ、及び第（Ｎ＋１）ステージの順序でシグナルをアウトプットする。また、データインプットターミナルＩＮ１が第（Ｎ＋１）ステージのシフトレジスタのアウトプットシグナル（Ｎ＋１）ＯＵＴを受け取り、データインプットターミナルＩＮ２が第（Ｎ−１）ステージのシフトレジスタユニットのアウトプットシグナル（Ｎ−１）ＯＵＴを受け取る時、シフトレジスタ回路は第（Ｎ＋１）ステージ、第Ｎステージ、第（Ｎ−１）ステージの順序でシグナルをアウトプットする。
【００２６】
双方向スキャニングコントロール回路はコントロールシグナルＣＴＲに基づきシフトレジスタユニットに提供するデータのインプットターミナルを決定する。コントロールシグナルＣＴＲは第１または第２方向シグナルを受け止めるのに用いられ、仮に第１方向シグナルがシフトレジスタ回路が右にアウトプットするのをコントロールするとしたら、第２方向シグナルはシフトレジスタ回路が左にアウトプットするのをコントロールする。
【００２７】
図３ｂは本発明の実施例２に寄る双方向スキャニングコントロール回路のブロック図である。ここでは双方向スキャニングコントロール回路１３を例とする。その他の各ステージの双方向スキャニングコントロール回路の構造は、シグナルの発信源以外は１３と同様である、
【００２８】
本発明の実施例２による双方向スキャニングコントロール回路の操作回路は下に記す通りである。コントロール装置３３１及び３３４が第１方向のシグナルを受け取る時、スイッチ３３２及び３３５が導通し、よって第（Ｎ−１）ステージのシフトレジスタユニット３２のアウトプットシグナル（Ｎ−１）ＯＵＴ及び第（Ｎ＋１）ステージのシフトレジスタユニット３６のアウトプットシグナル（Ｎ＋１）ＯＵＴは個々に第Ｎステージのシフトレジスタユニット３４のインプットターミナルＩＮ１及び第Ｎステージのシフトレジスタユニット３４のインプットターミナルＩＮ２にアウトプットされる。コントロール装置３３１及び３３４が第２方向のシグナルを受け取る時、スイッチ３３３及び３３６は導通し、よって第（Ｎ＋１）ステージのシフトレジスタユニット３６のアウトプットシグナル（Ｎ＋１）ＯＵＴ及び第（Ｎ−１）ステージのシフトレジスタユニット３２のアウトプットシグナル（Ｎ−１）ＯＵＴは個々に第Ｎステージのシフトレジスタ３４のインプットターミナルＩＮ１及び第Ｎステージのシフトレジスタ３４のインプットターミナルＩＮ３２にアウトプットされる。
【００２９】
図４は本発明実施例１によるアウトプットする方向がコントロール可能なシフトレジスタ回路が使用する電圧レベルシフタの回路構造を示す図である。説明を完結にする為、３ステージのシフトレジスタユニットを例とする。本実施例において、各ステージのシフトレジスタのアウトプットターミナルに電圧レベルシフタを加える設計によって、各ステージのシフトレジスタユニットのアウトプットシグナルはより大きくされる。図に示されるように、第１電圧レベルシフタ４１が第（Ｎ−１）ステージのシフトレジスタ１２のアウトプットシグナル（Ｎ−１）ＯＵＴ１を受け取る時、それは増幅されてアウトプットシグナル（Ｎ−１）ＯＵＴ２になる。第２電圧レベルシフタ４２が第（Ｎ）ステージのシフトレジスタユニット１４をアウトプットシグナル（Ｎ）ＯＵＴ１を受け取る時、それは増幅されてアウトプットシグナル（Ｎ）ＯＵＴ２となる。第３電圧レベルシフタ４３が第（Ｎ＋１）ステージのシフトレジスタユニット１６のアウトプットシグナル（Ｎ＋１）ＯＵＴ１を受け取る時、それは増幅されてアウトプットシグナル（Ｎ＋１）ＯＵＴ２となる。
【００３０】
また、本来シフトレジスタユニットのアウトプットシグナルを受け取る双方向スキャニングコントロール回路は、電圧レベルシフタが増幅した信号を受け取るようになる。双方向スキャニングコントロール回路１３を例にして、それが受け取るシグナルは第１電圧レベルシフタ４１のアウトプットシグナル（Ｎ−１）ＯＵＴ２及び第３電圧レベルシフタ４３のアウトプットシグナル（Ｎ＋１）ＯＵＴ２である。
【００３１】
図５は図４のシフトレジスタユニット及び電圧レベルシフタの詳細な回路図である。
【実施例２】
【００３２】
図６は本発明の実施例２によるアウトプットの方向が変更できるシフトレジスタ回路が使用する電圧レジスタの回路構造図である。この構造は図４と同じであり、故に説明を省略する。
【００３３】
図７は図５のシフトレジスタユニット及び電圧レベルシフタの詳細な回路すである。
【００３４】
図８は本発明実施例２によるアウトプットの方向が変更できるシフトレジスタ回路が使用する電圧レベルシフタのアウトプットシグナル（Ｎ−１）ＯＵＴ２、（Ｎ）ＯＵＴ２、（Ｎ＋１）ＯＵＴ２のアウトプットのタイミングを示すシュミレーション図である。仮にクロックシグナルＣＬＫが３．３Ｖで、コントロールシグナルが第１方向で、図５のシフトレジスタ回路を利用したら、各ステージのシフトレジスタユニットのアウトプットシグナルは９Ｖに増幅される。
【００３５】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３６】
【図１】本発明のアウトプットする方向が変更可能なシフトレジスタの実施例１を示す図である。
【図２ａ】本発明実施例１の双方向スキャニングコントロール回路のブロック図である。
【図２ｂ】本発明実施例１の双方向スキャニングコントロール回路を示す回路図である。
【図３ａ】本発明の本発明のアウトプットする方向が変更可能なシフトレジスタの実施例２を示す図である。
【図３ｂ】本発明実施例２の双方向スキャニングコントロール回路のブロック図である。
【図４】本発明実施例１のアウトプットする方向が変更可能なシフトレジスタが使用する電圧レベルシフタの電気回路の構造を示す図である。
【図５】図４のシフトレジスタユニット及び電圧レベルシフタの詳細な回路図である。
【図６】本発明実施例２のアウトプットする方向が変更可能なシフトレジスタが使用する電圧レベルシフタの電気回路の構造を示す図である。
【図７】図６のシフトレジスタユニット及び電圧レベルシフタの詳細な回路図である。
【図８】本発明実施例２のアウトプットする方向が変更可能なシフトレジスタが使用する電圧レベルシフタのアウトプットタイミングを示す図である。
【符号の説明】
【００３７】
１２、１４、１６、３２、３４、３６  シフトレジスタユニット
（Ｎ−１）ＯＵＴ、（Ｎ−２）ＯＵＴ、（Ｎ＋１）ＯＵＴ、（Ｎ＋２）ＯＵＴ、
（Ｎ−１）ＯＵＴ１、（Ｎ−２）ＯＵＴ１、（Ｎ）ＯＵＴ１、（Ｎ＋１）ＯＵＴ１、
（Ｎ＋２）ＯＵＴ１  アウトプットシグナル
（Ｎ−２）ＯＵＴ２、（Ｎ−１）ＯＵＴ２、（Ｎ）ＯＵＴ２、（Ｎ＋１）ＯＵＴ２、
（Ｎ＋２）ＯＵＴ２  増幅されたアウトプットシグナル
ＣＬＫ  クロックシグナル
ＣＴＲ  コントロールシグナル
１１、１３、１５、３１、３３、３５  双方向スキャニングコントロール回路
ＩＮ、ＩＮ1、ＩＮ２  データインプットターミナル
２１  第１ロジックデバイス
２２、３３１、３３４  コントロール装置
２３  第２ロジックデバイス
ＳＷ１、ＳＷ２、３３２、３３３、３３５、３３６  スイッチ
４１  第１電圧レベルシフタ
４２  第２電圧レベルシフタ
４３  第３電圧レベルシフタ
【図１】
2004362745.tif 000003
【図２ａ】
2004362745.tif 000004
【図２ｂ】
2004362745.tif 000005
【図３ａ】
2004362745.tif 000006
【図３ｂ】
2004362745.tif 000007
【図４】
2004362745.tif 000008
【図５】
2004362745.tif 000009
【図６】
2004362745.tif 000010
【図７】
2004362745.tif 000011
【図８】
2004362745.tif 000012